(57)【特許請求の範囲】
【請求項１】
管状体にフィルムが巻き付けられたフィルムロールと、
前記フィルムロールを収納するフィルムロール収納容器と、を有し、
前記フィルムロールの管状体の環状端面と、当該管状体の環状端面に対向する前記フィルムロール収納容器の側壁面には、互いに引っ掛かり、前記フィルムロールの前記フィルムロール収納容器に対する、フィルム引出し方向と反対方向の回転を抑制する引っ掛かり加工がそれぞれ施されており、
前記フィルムロールの管状体の環状端面には、１つ以上の凹部が形成され、
前記フィルムロール収納容器の側壁面には、前記凹部と引っ掛かる、１つ以上の凸部が形成され、
前記凸部は、前記フィルムロール収納容器の側壁面の一部が折り線を支点にして前記フィルムロールの環状端面側に折り曲げられて突出するように形成されている、フィルムロール収納装置。
【請求項２】
前記凹部のフィルム引き出し方向側の辺が、その反対側の辺よりも立上り角度が大きく形成されている、請求項１に記載のフィルムロール収納装置。
【請求項３】
前記フィルムロール収納容器の側壁面には、当該側壁面から内側に折り込まれ前記管状体の内側に入る折り込み部が設けられ、
前記凸部は、前記折り込み部に設けられている、請求項２に記載のフィルムロール収納装置。
【請求項４】
前記凸部は、前記管状体の環状端面の軸心を挟んで対向する位置に設けられている、請求項３に記載のフィルムロール収納装置。
【請求項５】
前記フィルムロールの表面に小片が取り付けられ、
前記小片は、前記フィルムロールの表面に固定された固定部と、前記フィルムロール表面から遊離した遊離部とを有し、
前記遊離部は、ループステフネスが０．２Ｎ以上である、請求項１〜４のいずれかに記載のフィルムロール収納装置。
【請求項６】
管状体にフィルムが巻き付けられたフィルムロールと、
前記フィルムロールを収納するフィルムロール収納容器と、を有し、
前記フィルムロールの管状体の環状端面と、当該管状体の環状端面に対向する前記フィルムロール収納容器の側壁面には、互いに引っ掛かり、前記フィルムロールの前記フィルムロール収納容器に対する、フィルム引出し方向と反対方向の回転を抑制する引っ掛かり加工がそれぞれ施されており、
前記フィルムロールの管状体の環状端面には、１つ以上の凹部が形成され、
前記フィルムロール収納容器の側壁面には、前記凹部と引っ掛かる、１つ以上の凸部と、当該側壁面から内側に折り込まれ前記管状体の内側に入る折り込み部と、が形成され、
前記凸部は、前記折り込み部に設けられている、フィルムロール収納装置。
【発明の詳細な説明】
【技術分野】
【０００１】
本発明は、特に食品包装用のラップフィルム、アルミホイル、クッキングシート等（以下、「フィルム」と称す。）を巻回して構成されたフィルムロールを、フィルムロール収納容器に収納したフィルムロール収納装置に関する。
【背景技術】
【０００２】
通常、フィルムは、紙製の管状体（紙管）に巻回されてフィルムロールを構成し、当該フィルムロールは、紙製の直方体状のフィルムロール収納容器に収納されている。このフィルムロール収納容器は、通常、上面が開口しフィルムロールを収納する収納部と、当該上面開口を開閉する蓋部とを有し、蓋部の先端には、フィルムロールから引き出されたフィルムを切断するための切断刃が設けられている。フィルムロールの使用時には、ユーザがフィルムロール収納容器内のフィルムロールからフィルムを引き出し、切断刃によって所望の長さに切って使用している。
【０００３】
ところで、例えば上記フィルムを切った際や、フィルムロール収納容器を動かした際には、フィルムロールが、フィルムロール収納容器内で、フィルムを引き出す方向と反対方向に逆回転することがある。フィルムロールが逆回転すると、フィルムロールから引き出されていたフィルムが巻戻りフィルムロールの表面にくっ付くことがある。フィルムがくっ付くと、例えば次にフィルムを引き出す際にフィルムの先端部を探したり、剥がしたりする必要があり、使い勝手が悪い。
【０００４】
フィルムロールの逆回転を防止するため、シートロールの両端に、ラチェット機構を備えた支持部材を取り付けることが提案されている（特許文献１参照）。ラチェット機構は、合成樹脂のラチェットホールや支持台部を備えている。
【先行技術文献】
【特許文献】
【０００５】
【特許文献１】特開２０１４−９１５６５号公報
【発明の概要】
【発明が解決しようとする課題】
【０００６】
しかしながら、上述の支持部材をシートロールに取り付ける技術は、複雑な構成の支持部材をフィルムロールとフィルムロール収納容器とは別に設ける必要があるため、フィルムロール収納装置全体のコストが大幅に上がる。また、上記支持部材は、合成樹脂等で形成されるため、使用後に廃棄する際に分別等を行う必要があり、使用済みのフィルムロール収納装置をそのまま捨てることができず、使い勝手が悪い。
【０００７】
本出願はかかる点に鑑みてなされたものであり、フィルムロール収納容器内のフィルムロールの逆回転を抑制しつつ、低コストで使い勝手のよいフィルムロール収納装置を提供することをその目的とする。
【課題を解決するための手段】
【０００８】
本発明者は、鋭意研究を重ねた結果、フィルムロールの管状体の環状端面と、フィルムロール収納容器の側壁面とを互いに引っ掛かるように加工することで上記課題が解決されることを見出し、本発明を完成するに至った。即ち、本発明の態様は以下を含む。
（１）管状体にフィルムが巻き付けられたフィルムロールと、前記フィルムロールを収納するフィルムロール収納容器と、を有し、前記フィルムロールの管状体の環状端面と、当該管状体の環状端面に対向する前記フィルムロール収納容器の側壁面には、互いに引っ掛かり、前記フィルムロールの前記フィルムロール収納容器に対する、フィルム引出し方向と反対方向の回転を抑制する引っ掛かり加工がそれぞれ施されており、前記フィルムロールの管状体の環状端面には、１つ以上の凹部が形成され、前記フィルムロール収納容器の側壁面には、前記凹部と引っ掛かる、１つ以上の凸部が形成され、前記凸部は、前記フィルムロール収納容器の側壁面の一部が折り線を支点にして前記フィルムロールの環状端面側に折り曲げられて突出するように形成されている、フィルムロール収納装置。
（２）前記凹部のフィルム引き出し方向側の辺が、その反対側の辺よりも立上り角度が大きく形成されている、（１）に記載のフィルムロール収納装置。
（３）前記フィルムロール収納容器の側壁面には、当該側壁面から内側に折り込まれ前記管状体の内側に入る折り込み部が設けられ、前記凸部は、前記折り込み部に設けられている、（２）に記載のフィルムロール収納装置。
（４）前記凸部は、前記管状体の環状端面の軸心を挟んで対向する位置に設けられている、（３）に記載のフィルムロール収納装置。
（５）前記フィルムロールの表面に小片が取り付けられ、前記小片は、前記フィルムロールの表面に固定された固定部と、前記フィルムロール表面から遊離した遊離部とを有し、前記遊離部は、ループステフネスが０．２Ｎ以上である、（１）〜（４）のいずれかに記載のフィルムロール収納装置。
（６）管状体にフィルムが巻き付けられたフィルムロールと、前記フィルムロールを収納するフィルムロール収納容器と、を有し、前記フィルムロールの管状体の環状端面と、当該管状体の環状端面に対向する前記フィルムロール収納容器の側壁面には、互いに引っ掛かり、前記フィルムロールの前記フィルムロール収納容器に対する、フィルム引出し方向と反対方向の回転を抑制する引っ掛かり加工がそれぞれ施されており、前記フィルムロールの管状体の環状端面には、１つ以上の凹部が形成され、前記フィルムロール収納容器の側壁面には、前記凹部と引っ掛かる、１つ以上の凸部と、当該側壁面から内側に折り込まれ前記管状体の内側に入る折り込み部と、が形成され、前記凸部は、前記折り込み部に設けられている、フィルムロール収納装置。
【発明の効果】
【０００９】
本発明によれば、フィルムロール収納容器内のフィルムロールの逆回転を抑制しつつ、低コストで使い勝手のよいフィルムロール収納装置を実現できる。
【図面の簡単な説明】
【００１０】
【図１】本発明のフィルムロール収納装置の概略を示す斜視図である。
【図２】フィルムロール収納容器の展開図である。
【図３】フィルムロール収納容器及びフィルムロールを側方から見た断面図である。
【図４】フィルムロールの環状端面の拡大図である。
【図５】フィルムロール収納容器の側壁面の断面図である。
【図６】フィルムロール収納装置の凸部と凹部の引っ掛かりを示す説明図である。
【図７】凸部と折り込み部を示すフィルムロール収納容器の側壁面の内面図である。
【図８】他の構成の凸部を示すフィルムロール収納容器の側壁面の内面図である。
【図９】他の構成の凸部を示すフィルムロール収納容器の側壁面の内面図である。
【図１０】フィルムロール収納装置の他の形状の凹部と凸部の引っ掛かりを示す説明図である。
【発明を実施するための形態】
【００１１】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１２】
図１は、フィルムロール１がフィルムロール収納容器２に収容された状態のフィルムロール収納装置３を示す斜視図である。図２は、フィルムロール収納容器２の表面側の展開図である。
【００１３】
フィルムロール収納装置３は、図１に示すようにフィルムロール１と、フィルムロール収納容器２を有している。
【００１４】
フィルムロール１は、例えば透明のフィルム１０が円筒状の紙製の管状体１１に巻かれて構成されている。フィルム１０には、例えばＰＶＤＣ系のフィルムが用いられている。使用前（製造後初めてフィルム１０が引き出される前）のフィルムロール１には、小片２０が取り付けられている。小片２０は、例えばフィルムロール１の表面の中央部のフィルム１０の先端部に取り付けられている。
【００１５】
小片２０は、例えば樹脂製或いは紙製の長方形の板状部材であり、図１及び図３に示すようにフィルムロール１の表面に固定された固定部２０ａと、フィルムロール１の表面から離れた遊離部２０ｂを有している。小片２０は、例えば片面が粘着面となっており、固定部２０ａがフィルムロール１のフィルム１０の先端部に粘着され、遊離部２０ｂは、粘着面を内側に折り返して形成されている。よって、遊離部２０ｂは、固定部２０ａよりも厚くなっている。
【００１６】
遊離部２０ｂは、十分な剛性と長さを有している。例えば遊離部２０ｂは、０．２Ｎ以上、好ましくは０．３Ｎ以上のループステフネスを備えている。これにより、遊離部２０ｂは、フィルムロール収納容器２の内面に引っ掛かったときにその剛性でフィルムロール１の回転を抑制できる。また、遊離部２０ｂは、フィルムロール１の表面から突出する方向に遊離部２０ｂのフィルムロール表面からの立ち上がり角度が９０°以下のときに遊離部２０ｂがフィルムロール収納箱２の内面に引っ掛かる長さを有している。遊離部２０ｂは、好ましくは立ち上がり角度が６０°以下のときに遊離部２０ｂがフィルムロール収納箱２の内面に引っ掛かる長さであり、より好ましくは立ち上り角度が０°〜２０°のときに遊離部２０ｂがフィルムロール収納箱２の内面に引っ掛かる長さであり、最も好ましくは立ち上がり角度が１０°のときに遊離部２０ｂがフィルムロール収納箱２の内面に引っ掛かる長さである。これにより、遊離部２０ｂは、フィルムロール収納箱２の内面に確実に接触して引っ掛かりフィルムロール１の回転を抑制できる。なお、ループステフネスは、東洋精機製作所製のループステフネステスタにて、２３℃５０％ＲＨの条件下、ループ長５０ｍｍ、押し込み速度５ｍｍ/ｓｅｃ、押し込み量１０ｍｍの条件で測定する。
【００１７】
図４及び図５に示すように管状体１１は、フィルムロール収納容器２の側壁面の後述する凸部１３０と互いに引っ掛かるように加工された環状端面３０を備えている。例えば環状端面３０には、周方向に沿って等間隔に設けられた複数の凹部４０が形成されている。凹部４０は、図５に示すように例えば略Ｖ字状に形成され、当該Ｖ字状のフィルム引き出し方向（図５のＢ方向）側の辺４０ａが、その反対側の辺４０ｂよりも立上り角度が大きく形成されている。本実施の形態では、環状端面３０に管状体１１の軸方向に切り込みを入れ、その切り込みのフィルム引き出し方向Ｂと反対側の部分を内側に折り曲げることにより、Ｖ字状の凹部４０を形成している。これらの凹部４０は、管状体１１の両側の環状端面３０に形成されている。
【００１８】
図１及び図２に示すようにフィルムロール収納容器２は、全体が直方体形状を有し、蓋部５０と、収納部５１を有している。蓋部５０は、例えば掩蓋片６０、天板６１、脇掩蓋片６２及び天板６１の脇板６３等を有している。収納部５１は、前板７０、底板７１、後板７２、前板７０の脇板７３、底板７１の脇板７４、後板７２の脇板７５及びフラップ７６等を有している。前板７０の表面には、例えばフィルム１０の端部を仮留めする仮留め部７７が設けられている。
【００１９】
蓋部５０の天板６１は、後板７２の上端縁から前方に延びて収納部５１の上面開口５１ａを覆っている。掩蓋片６０は、天板６１の前端縁から前板７０側に延びて前板７０の前面を覆っている。掩蓋片６０の先端部には、収納部５１のフィルムロール１から引き出されたフィルム１０を切断する鋸刃８０が設けられている。
【００２０】
フィルムロール収納装置３が使用される前は、フィルムロール収納箱２の蓋部５０が開封片９０によって封止されている。開封片９０は、収納部５１の前板７０の前面下部に位置し、フィルムロール収納容器２の長手方向に沿って帯状に形成されている。開封片９０は、掩蓋片６０の先端に切り取り可能に連結されている。また、開封片９０は、前板７０の表面に対して接着されている。フィルムロール収納箱２の開封時には、開封片９０を箱の長手方向に沿って切り取ることで蓋部５０を開封することができる。
【００２１】
収納部５１は、上面開口５１ａを有する直方体状に形成され、フィルムロール１を上面から収納できる。収納部５１の長手方向の両側の側壁面１００は、脇板７４の内側に脇板７５を重ねることによって形成されている。
【００２２】
収納部５１の脇板７５には、図６及び図７に示すように内側に折り込んで、フィルムロール１の管状体１１の内部に挿入する折り込み部１１０が形成されている。折り込み部１１０は、下に凸の舌状（略円状）に形成され、上端に折り線１１１が形成されている。図１及び図２に示すように脇板７５の外側に重ねられる脇板７４には、外側から脇板７５の折り込み部１１０を押して折り込み部１１０を内側に折り込むための方形の押し込み片１２０が形成されている。収納部５１の製造時には、折り込み部１１０は折り込まれておらず、フィルムロール１が収納部５１に収納された後、外側から押し込み片１２０を押し、それによって折り込み部１１０が管状体１１の内側に折り込まれ、この折り込み部１１０によってフィルムロール１が保持され、フィルムロール１が収納部５１から飛び出ることを防止できる。
【００２３】
収納部５１の側壁面１００は、フィルムロール１の管状体１１の環状端面３０と互いに引っ掛かるように加工されている。例えば側壁面１００には、環状端面３０側に突出し、環状端面３０の凹部４０に引っ掛かる凸部１３０が形成されている。凸部１３０は、例えば折り込み部１１０に一体的に設けられ、折り込み部１１０と共に内側に折り込まれるように形成されている。凸部１３０は、折り込み部１１０の例えば前方（前板７０）側に設けられている。
【００２４】
なお、フィルムロール収納容器２及びフィルムロール１の管状体１１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００２５】
ユーザがフィルムロール収納装置３のフィルム１０を初めて使用する際には、開封片９０を切り取って蓋部５０を開け、フィルムロール１の小片２０を引っ張ってフィルム１０を引き出す。また、２回目以降の場合には、片手でフィルムロール収納容器２を略水平に持ち、蓋部５０を軽く閉じた状態で、もう片方の手でフィルムロール収納容器２内のフィルムロール１から所望の長さのフィルム１０を引き出す。次に、引き出したフィルム１０を上方に引っ張り、蓋部５０の切断刃８０によりフィルム１０を切断する。切断後に残ったフィルムロール１のフィルム１０は、仮留め部７７にくっ付いて仮留めされ、次に使用する際には、この仮留め部７７にくっ付いたフィルム１０を引っ張り出して行う。
【００２６】
本実施の形態によれば、フィルムロール１の管状体１１の環状端面３０に凹部４０が形成され、フィルムロール収納容器２の側壁面１００に凸部１３０が形成されて、当該管状体１１の環状端面３０とフィルムロール収納容器２の側壁面１００に、互いに引っ掛かり、フィルムロール１のフィルム引き出し方向Ｂと反対方向の回転（逆回転）を抑制する引っ掛かり加工がそれぞれ施されている。これにより、フィルムロール１が逆回転して、フィルム１０が巻戻り、フィルム１０がフィルムロール１の表面にくっ付くことを抑制できる。また、フィルムロール１の環状体１１の環状端面３０とフィルムロール収納容器２の側壁面１００とに引っ掛かり加工を施しているだけなので、コストもかからず、また使用後にはそのまま捨てることができる。この結果、フィルムロール収納容器２内のフィルムロール１の逆回転を抑制しつつ、低コストで使い勝手のよいフィルムロール収納装置３を実現できる。
【００２７】
また、フィルムロール１の管状体１１の環状端面３０に凹部４０が形成され、フィルムロール収納容器２の側壁面１００に凹部４０と引っ掛かる凸部１３０が形成されているので、フィルムロール１とフィルムロール収納容器２との引っ掛かり機構を簡単に実現できる。
【００２８】
凹部４０は、管状体１１の環状端面３０の周方向に沿って複数個所に形成されているので、フィルムロール１の位置にかかわらず、フィルムロール収納容器２の凸部１３０がフィルムロール１の凹部４０に引っ掛かりやすくなり、フィルムロール１の逆回転を確実に抑制できる。
【００２９】
凹部４０は、フィルム引き出し方向Ｂ側の辺４０aが、その反対側の辺４０ｂよりも立上り角度が大きく形成されているので、フィルムロール１の逆回転を効果的に抑制でき、またフィルムロール１のフィルム引き出し方向側の正回転を適切に行うことができる。ここで言う立ち上がり角度とは、図５に示すように管状体１１を側面方向から見た時の、辺４０ａまたは辺４０ｂが環状端面３０と為す角度を意味する。図５の場合は辺４０ａの立ち上がり角度は約９０°、辺４０ｂの立ち上がり角度は約４５°である。辺４０ａの立ち上がり角度は６０°〜１２０°が好ましく、８０°〜１００°がより好ましい。この範囲であれば逆回転を更に効果的に抑制できる。辺４０ｂの立ち上がり角度は６０°未満が好ましく、４５°未満がより好ましい。この範囲であれば正回転を更に適切に行うことができる。正回転をスムーズに行うために、辺４０ｂの凸部１３０と接する部分がＲ化（湾曲化）されていることが好ましい。角のＲ化方法として、図４に示すように管状体１１の環状端面３０を内側へ折り曲げ、その折線部を辺４０ｂとする方法等が挙げられる。凹部４０への凸部１３０の引っ掛かり長さは、０．１ｍｍ以上あれば良く、より好ましくは０．５ｍｍ以上、更に好ましくは１．０ｍｍ以上である。このように構成すると凸部１３０が凹部４０へ引っかかりやすい。
【００３０】
凸部１３０は、フィルムロール収納容器２の側壁面１００の一部がフィルムロール１の環状端面３０側に突出して形成されているので、例えば側壁面１００に切り込みを入れるだけで凸部１３０を簡単に形成できる。
【００３１】
また、凸部１３０が折り込み部１１０に設けられているので、側壁面１００から内側に突出する部分を２つ形成する必要がなく、フィルムロール収納容器２の構成を簡略化できる。
【００３２】
また、フィルムロール１の表面に小片２０が取り付けられ、小片２０が、フィルムロール１の表面に固定された固定部２０aと、フィルムロール表面から遊離した遊離部２０ｂとを有し、遊離部２０ｂのループステフネスが０．２Ｎ以上に設定されている。この結果、フィルムロール収納容器２の開封前に図３に示したようにフィルムロール１がフィルム引き出し方向Ｂに回転しそうになった場合に、小片２０がフィルムロール収納容器２の例えば前板７０の上端部に当ってフィルムロール１がフィルム引出方向Ｂ側へ回転することを防止できる。一方で、フィルムロール収納容器２の開封前にフィルムロール１がフィルム引出方向と逆方向へ回転しそうになった場合には、前述の凸部１３０が凹部４０に引っ掛かり、回転を防止することができる。この結果、開封前にフィルムロール１が回転し、フィルム先端部が例えばフィルムロール収納容器２の底側に入り込みむようなことを防止でき、開封時にフィルム先端部を簡単に見つけることができる。
【００３３】
以上の実施の形態において、凸部１３０は、折り込み部１１０に一体に設けられていたが、折り込み部１１０と別々に設けられていてもよい。例えば図８に示すように凸部１３０は、フィルムロール収納容器２の側壁面１００における折り込み部１１０の前板７０側に、上下に複数並べられて設けられていてもよい。かかる場合、各凸部１３０は、方形の板形状を有し、上辺が折り線となって内側に折り曲げられたものであってもよい。また、この凸部１３０は、図９に示すように折り込み部１１０を挟んで両側（管状体１１の環状端面３０の軸心を介して対向する部分）に設けられていてもよい。かかる場合、折り込み部１１０の後板７２側の凸部１３０は、上下に複数並べられ、方形の板形状を有し、下辺が折り線となって内側に折り曲げられたものであってもよい。
【００３４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３５】
例えば以上の実施の形態においてフィルムロール１の環状端面３０のＶ字状の凹部４０は、切込みの片側部分を折り曲げて形成されていたが、図１０に示すように環状端面３０をＶ字状にカットしたものであってもよい。
【００３６】
また、凹部４０は、Ｖ字状でなくてもよく、他の形状を有するものであってもよい。また、フィルムロール収納容器２の側壁面１００の凸部１３０も凹部４０に引っ掛かるものであれば他の形状を有するものであってもよい。
【００３７】
さらに、フィルムロール収納容器２とフィルムロール１が互いに引っ掛かる加工であれば、フィルムロール収納容器２側に凹部があってフィルムロール１側に凸部があってもよい。さらに凸部、凹部以外の構造であってもよい。
【００３８】
以上の実施の形態におけるフィルムロール収納容器２の形状、構造もこれに限られない。また、フィルムロール１に巻回されるフィルム１０の種類も、ＰＶＤＣ系のものに限られず、例えばＰＯ系、ＰＶＣ系などであってもよい。
【産業上の利用可能性】
【００３９】
本発明は、フィルムロール収納容器内のフィルムロールの逆回転を抑制しつつも、低コストで使い勝手のよいフィルムロール収納装置を提供する際に有用である。
【符号の説明】
【００４０】
１  フィルムロール
２  フィルムロール収納容器
３  フィルムロール収納装置
１０  フィルム
１１  管状体
４０  凸部
３０  環状端面
１００  側壁面
１３０  凸部
【図１】
0006437335.tif 000002
【図２】
0006437335.tif 000003
【図３】
0006437335.tif 000004
【図４】
0006437335.tif 000005
【図５】
0006437335.tif 000006
【図６】
0006437335.tif 000007
【図７】
0006437335.tif 000008
【図８】
0006437335.tif 000009
【図９】
0006437335.tif 000010
【図１０】
0006437335.tif 000011